(57)【要約】      （修正有）【課題】複数のセンサーを有する携帯装置を持つ使用者を認証する方法、システム及びコンピューター可読プログラムコードを提供する。【解決手段】方法は、携帯装置又は使用者の状態を認識する工程、携帯装置又は使用者の状態が所定の状態であるかを判断する工程、状態が所定の状態である場合に、認証動作として第１の動作を選択する工程、複数のセンサーから単一のセンサー又はセンサーの第１の組み合わせを選択する工程、及び単一のセンサー又はセンサーの第１の組み合わせを用いて使用者に対する第１の認証を実行する工程、並びに状態が所定の状態でない場合に、認証動作として第２の動作を選択する工程、複数のセンサーからセンサーの第２の組み合わせを選択する工程、及びセンサーの第２の組み合わせを用いて使用者に対する第２の認証を実行する工程を含む。【選択図】図７
2019091413.tif 000002
【特許請求の範囲】
【請求項１】
複数のセンサーを有する携帯装置を持つ使用者を認証する方法であって、
前記携帯装置又は前記使用者の状態を認識する工程、
前記携帯装置又は前記使用者の前記状態が所定の状態であるかを判断する工程、
前記状態が前記所定の状態である場合に、
認証動作として第１の動作を選択する工程、
前記複数のセンサーから単一のセンサー又はセンサーの第１の組み合わせを選択する工程、及び
前記単一のセンサー又はセンサーの前記第１の組み合わせを用いて前記使用者に対する第１の認証を実行する工程、並びに
前記状態が前記所定の状態でない場合に、
前記認証動作として第２の動作を選択する工程、
前記複数のセンサーからセンサーの第２の組み合わせを選択する工程、及び
センサーの前記第２の組み合わせを用いて前記使用者に対する第２の認証を実行する工程を含む、方法。
【請求項２】
前記状態は、
位置、
前記携帯装置の移動状態又は静止状態、
前記携帯装置の前記使用者の認証失敗履歴、
前記携帯装置の位置に関連して前記携帯装置が得た明るさ又は暗さの測定値、及び
認証の対象、
のうちの１つ、又は、
前記位置、前記携帯装置の前記移動状態又は前記静止状態、前記携帯装置の前記使用者の前記認証失敗履歴、前記携帯装置の位置に関連して前記携帯装置が得た前記明るさ又は暗さの測定値、認証の前記対象のうちの少なくとも２つの組み合わせ
である、請求項１に記載の方法。
【請求項３】
前記第１の動作又は前記第２の動作は、
前記携帯装置を把持すること、
前記携帯装置を指で軽く叩くこと、
歩行し、座り、及び立つこと、
前記携帯電話のフリップを開くこと、
前記携帯電話の光センサーを覆うこと、
前記携帯装置のタッチパネルの所定の位置に触れること、
のうちの１つ、又は、
前記携帯装置を把持すること、前記携帯装置を指で軽く叩くこと、歩行し、座り、立つこと、前記携帯電話のフリップを開くこと、及び前記携帯電話の光センサーを覆うことのうちの少なくとも２つの組み合わせ
である、請求項１に記載の方法。
【請求項４】
前記第２の認証のセンサー又は動作の数は、前記第１の認証のセンサー又は動作の数よりも多い、請求項１に記載の方法。
【請求項５】
前記複数のセンサーは、ＧＰＳ受信機、ジャイロスコープ、速度計、回転ベクトルセンサー、加速度計、光センサー、近接センサー、方位センサー、重力センサー、タッチパネル、マイク、磁気センサー、及びカメラを含む、請求項１に記載の方法。
【請求項６】
少なくとも１回の認証失敗の後にセンサー又は動作の数を増やす工程をさらに含む、請求項１に記載の方法。
【請求項７】
前記第１の認証及び前記第２の認証は、前記使用者に少なくとも１つのサービスに対するアクセスを提供し、前記少なくとも１つのサービスは、オフィス若しくは住宅へのアクセス、装置へのアクセス、前記携帯装置に格納されたアプリケーションへのアクセス、インターネット若しくはイントラネットへのアクセス、及び／又は銀行口座、財務記録、若しくは診療記録へのアクセスである、請求項１に記載の方法。
【請求項８】
前記携帯装置に認証プログラムを格納する工程をさらに含み、前記認証プログラムは、１種類以上のサービスにアクセスする前記使用者を認証する処理を実行するようになっている、請求項１に記載の方法。
【請求項９】
前記１種類以上のサービスにアクセスする前記使用者を認証する前記処理を実行する前に、前記携帯装置に格納した前記認証プログラムに前記使用者を登録する工程をさらに含む、請求項８に記載の方法。
【請求項１０】
請求項１に記載の処理を実行するようになっている、非一時的コンピューター可読プログラムコード。
【請求項１１】
複数のセンサーを有する携帯装置を持つ使用者を認証する方法であって、
認証動作として第１の動作を選択する工程、
前記携帯装置又は前記使用者の状態を認識する工程、
前記携帯装置又は前記使用者の前記状態が所定の状態であるかを判断する工程、
前記状態が前記所定の状態である場合に、
前記複数のセンサーから単一のセンサー又はセンサーの第１の組み合わせを選択して前記第１の動作を実行する工程、及び
前記単一のセンサー又はセンサーの前記第１の組み合わせを用いて前記使用者に対する第１の認証を実行する工程、並びに
前記状態が前記所定の状態でない場合に、
前記複数のセンサーからセンサーの第２の組み合わせを選択して前記第１の動作を実行する工程、及び
センサーの前記第２の組み合わせを用いて前記使用者に対する第２の認証を実行する工程を含む、方法。
【請求項１２】
少なくとも１回の認証失敗の後にセンサー又は動作の数を増やす工程をさらに含む、請求項１１に記載の方法。
【請求項１３】
前記第１の認証及び前記第２の認証は、前記使用者に少なくとも１つのサービスに対するアクセスを提供し、前記少なくとも１つのサービスは、オフィス若しくは住宅へのアクセス、装置へのアクセス、前記携帯装置に格納されたアプリケーションへのアクセス、インターネット若しくはイントラネットへのアクセス、及び／又は銀行口座、財務記録、若しくは診療記録へのアクセスである、請求項１１に記載の方法。
【請求項１４】
前記携帯装置に認証プログラムを格納する工程をさらに含み、前記認証プログラムは、１種類以上のサービスにアクセスする前記使用者を認証する処理を実行するようになっている、請求項１１に記載の方法。
【請求項１５】
前記１種類以上のサービスにアクセスする前記使用者を認証する前記処理を実行する前に、前記携帯装置に格納した前記認証プログラムに前記使用者を登録する工程をさらに含む、請求項１４に記載の方法。
【請求項１６】
請求項１１に記載の処理を実行するようになっている、非一時的コンピューター可読プログラムコード。
【請求項１７】
複数のセンサーを有する携帯装置を持つ使用者を認証する方法であって、
前記携帯装置又は前記使用者の状態を認識する工程、
前記状態が所定の状態であるかを判断する工程、
前記携帯装置又は前記使用者の前記状態が前記所定の状態である場合に、
認証動作として第１の動作を選択する工程、
前記複数のセンサーから単一のセンサー又はセンサーの第１の組み合わせを選択する工程、及び
前記単一のセンサー又はセンサーの前記第１の組み合わせを用いて前記使用者に対する第１の認証を実行する工程、並びに
前記携帯装置又は前記使用者の前記状態が前記所定の状態でない場合に、
前記認証動作として第２の動作を選択する工程、
前記携帯装置に対応する認証動作として第２の動作を選択する工程、
前記複数のセンサーからセンサーの第２の組み合わせを選択する工程、
認証に用いるべき装着可能装置を選択する工程、
前記装着可能装置に対応する認証動作として第３の動作を選択する工程、
前記装着可能装置内の単一のセンサー又はセンサーの第３の組み合わせを選択する工程、及び
センサーの前記第２の組み合わせと前記装着可能装置内の前記単一のセンサー又はセンサーの前記第３の組み合わせを用いて前記使用者に対する第２の認証を実行する工程を含む、方法。
【請求項１８】
前記携帯装置に認証プログラムを格納する工程をさらに含み、前記認証プログラムは、１種類以上のサービスにアクセスする前記使用者を認証する処理を実行するようになっている、請求項１７に記載の方法。
【請求項１９】
前記１種類以上のサービスにアクセスする前記使用者を認証する前記処理を実行する前に、前記携帯装置に格納した前記認証プログラムに前記使用者を登録する工程をさらに含む、請求項１８に記載の方法。
【請求項２０】
請求項１７に記載の処理を実行するようになっている、非一時的コンピューター可読プログラムコード。
【発明の詳細な説明】
【技術分野】
【０００１】
本開示は複数のセンサーを有する携帯装置を用いて使用者を認証する方法及びシステムに関し、より詳細には複数のセンサーを有する携帯電話を用いて、例えば自宅若しくはオフィスにアクセスし、装置又はサービス、例えば携帯装置に格納されたアプリケーション、画像生成装置若しくはプリンター、又は会社のインターネット若しくはイントラネットにアクセスし、取引決済、例えば銀行口座等からの送金のためにＷｉＦｉアクセスポイントにアクセスする使用者を認証する方法及びシステムに関する。
【背景技術】
【０００２】
現在の情報技術（ＩＴ）環境では、例えば近接型カード、ＲＦＩＤカード、ＩＤ／パスワード、様々な生体認証情報、スマートカード、ＲＳＡトークンを用い、場合によってはＩＲＩＳ認証、顔検出や音声認識等の高度な方法を用いて使用者を認証する多くの技術を利用する。現在の方法は、安全なシステムを構築することができるが限界もあり、個人識別番号（ＰＩＮ）、パスワード、確認のための質問、及び／又は写真のような機密情報を記憶及び／又は保存するという負担が使用者にかかる。
【０００３】
しかし、ほとんどの使用者は、常時ではないとしても１日の大半、例えば仕事中に個人所有の携帯装置、例えば携帯電話やスマートフォンを持ち合わせている。したがって、現在の方法及び技術の代替としては、携帯装置、例えば複数のセンサーを有する携帯電話やスマートフォンを用いて使用者を認証するのが望ましい。例えば、典型的な実施形態によれば、複数のセンサーで携帯装置及び使用者の状態（又は位置）並びに認証のために携帯装置を用いて行う使用者の動作を検出することができる。
【発明の概要】
【０００４】
したがって、複数のセンサーを有する携帯装置を持つ使用者を状態（例えば位置）と動作の両方から認証することができるシステム又は方法を提供するのが望ましい。
【課題を解決するための手段】
【０００５】
複数のセンサーを有する携帯装置を持つ使用者を認証する方法であって、携帯装置又は使用者の状態を認識する工程、携帯装置又は使用者の状態が所定の状態であるかを判断する工程、状態が所定の状態である場合に、認証動作として第１の動作を選択する工程、複数のセンサーから単一のセンサー又はセンサーの第１の組み合わせを選択する工程、及び単一のセンサー又はセンサーの第１の組み合わせを用いて使用者に対する第１の認証を実行する工程、並びに状態が所定の状態でない場合に、認証動作として第２の動作を選択する工程、複数のセンサーからセンサーの第２の組み合わせを選択する工程、及びセンサーの第２の組み合わせを用いて使用者に対する第２の認証を実行する工程を含む、方法が開示される。
【０００６】
複数のセンサーを有する携帯装置を持つ使用者を認証する方法であって、認証動作として第１の動作を選択する工程、携帯装置又は使用者の状態を認識する工程、携帯装置又は使用者の状態が所定の状態であるかを判断する工程、状態が所定の状態である場合に、複数のセンサーから単一のセンサー又はセンサーの第１の組み合わせを選択して第１の動作を実行する工程、及び単一のセンサー又はセンサーの第１の組み合わせを用いて使用者に対する第１の認証を実行する工程、並びに状態が所定の状態でない場合に、複数のセンサーからセンサーの第２の組み合わせを選択して第１の動作を実行する工程、及びセンサーの第２の組み合わせを用いて使用者に対する第２の認証を実行する工程を含む、方法が開示される。
【０００７】
複数のセンサーを有する携帯装置を持つ使用者を認証する方法であって、携帯装置又は使用者の状態を認識する工程、状態が所定の状態であるかを判断する工程、携帯装置又は使用者の状態が所定の状態である場合に、認証動作として第１の動作を選択する工程、複数のセンサーから単一のセンサー又はセンサーの第１の組み合わせを選択する工程、及び単一のセンサー又はセンサーの第１の組み合わせを用いて使用者に対する第１の認証を実行する工程、並びに携帯装置又は使用者の状態が所定の状態でない場合に、認証動作として第２の動作を選択する工程、携帯装置に対応する認証動作として第２の動作を選択する工程、複数のセンサーからセンサーの第２の組み合わせを選択する工程、認証に用いるべき装着可能装置を選択する工程、装着可能装置に対応する認証動作として第３の動作を選択する工程、装着可能装置内の単一のセンサー又はセンサーの第３の組み合わせを選択する工程、及びセンサーの第２の組み合わせと装着可能装置内の単一のセンサー又はセンサーの第３の組み合わせを用いて使用者に対する第２の認証を実行する工程を含む、方法が開示される。
【０００８】
当然のことであるが、上記の一般的記載と下記の詳細な記載は例示と説明を目的としており、特許請求される発明のさらなる説明を提供することを意図する。
【図面の簡単な説明】
【０００９】
添付の図面は、本発明の理解を深めるために提供され、本明細書に組み込まれてその一部を構成する。図面は本発明の実施形態を示し、本明細書とともに本発明の原理を説明する役割を果たす。
【００１０】
【図１】典型的な実施形態による複数のセンサーを有する携帯装置の使用者を認証することができるシステムを示す。
【図２】典型的な実施形態による複数のセンサーを有する携帯装置を示す。
【図３】典型的な実施形態によるサーバーを示す。
【図４】典型的な実施形態による携帯装置の位置及び動作を認識するのに用いることができる複数のセンサーを有する携帯装置を示す。
【図５】携帯装置での複数の動作及びそれらに対応するセンサーを示す表である。この表は複数の動作のうちの１つ以上を識別するのに用いることができる。
【図６Ａ】典型的な実施形態による携帯装置のタッチパネルの所定の位置に触れる動作を示す。
【図６Ｂ】典型的な実施形態による携帯装置の光センサーを覆う動作を示す。
【図７】典型的な実施形態による複数のセンサーを有する携帯装置を用いて使用者を認証する方法とシステムを示す流れ図である。
【図８】別の典型的な実施形態による携帯装置の状態と動作を認識するのに用いることができる複数のセンサーを有する携帯装置を示す。
【図９】典型的な実施形態による使用者の認証に携帯装置を用いることができる複数の状態を示す表である。
【図１０】別の典型的な実施形態による複数のセンサーを有する携帯装置を用いて使用者を認証する方法及びシステムを示す流れ図である。
【図１１】さらなる典型的な実施形態による複数のセンサーを有する携帯装置を用いて使用者を認証する方法及びシステムを示す流れ図である。
【図１２】別の典型的な実施形態による複数のセンサーを有する携帯装置を用いて使用者を認証する方法及びシステムを示す流れ図である。
【図１３】典型的な実施形態による複数のセンサーを有する携帯装置と複数のセンサーを有する装着可能装置を用いて使用者を認証する方法及びシステムを実装することができるシステムを示す。
【図１４】典型的な実施形態による複数のセンサーを有する装着可能装置を示す。
【図１５】別の典型的な実施形態による複数のセンサーを有する携帯装置と複数のセンサーを有する装着可能装置を用いて使用者を認証する方法及びシステムを示す流れ図である。
【図１６】さらなる典型的な実施形態による複数のセンサーを有する携帯装置と複数のセンサーを有する装着可能装置を用いて使用者を認証する方法及びシステムを示す流れ図である。
【発明を実施するための形態】
【００１１】
本発明の好ましい実施形態の詳細について参照する。典型的な実施形態を添付の図面に示す。可能な場合には、図面及び明細書で同一の部品の参照に同一の符号を用いる。
【００１２】
図１は、システム１００を示す。このシステム１００で、典型的な実施形態による複数のセンサー２２０を有する携帯装置２００の使用者を認証することができる。図１に示すように、システム１００は、例えばＷｉＦｉ（無線ローカルエリアネットワーク接続）ルーター１１２を含むオフィス１１０、サーバー３００、プリンター３２０、及びＷｉＦｉルーター１２２を含む自宅１２０を含んでもよい。ＷｉＦｉルーター１１２及び１２２は、例えば規格ＩＥＥＥ８０２．１１に基づいて無線ローカルエリアネットワーク接続を行うようになっていてもよい。例えばＷｉＦｉルーター１１２及び１２２は、データパケットを携帯装置２００から受信してサーバー３００に転送し、あるいはデータパケットをインターネット１３０経由で自宅１２０に転送し、又は自宅１２０からオフィス１１０に転送してもよい。ＷｉＦｉに加えて、オフィス１１０、自宅１２０、携帯装置２００、及び装着可能装置１４００（図１３及び図１４）は任意の既知の通信方式１２４、例えばＢｌｕｅｔｏｏｔｈ（登録商標）及び近距離無線通信（ＮＦＣ）によりデータを交換してもよい。
【００１３】
典型的な実施形態によれば、通信ネットワーク（又はインターネット）１３０によりオフィス１１０と自宅１２０を相互に接続する。システム１００は、全地球測位システム（global positioning system、GPS）衛星１４０、携帯装置（又は携帯電話）２００、及び１基以上の携帯電話基地局１５０、１５２、１５４も含んでもよい。典型的な実施形態によれば、サーバー３００は、アプリケーション又はサービス３１２を含んでもよい。本明細書に開示するように、携帯装置２００経由で使用者を認証する際にアプリケーション又はサービス３１２にアクセスしてもよい。
【００１４】
典型的な実施形態によれば、オフィス１１０と自宅１２０は、インターネット又は通信ネットワーク１３０経由で接続されているのが好ましい。通信ネットワーク１３０としては、例えば有線又は無線の通常の種類のネットワークが挙げられ、任意の数の構成、例えばスター型構成、トークンリング構成、又は他の既知の構成を含んでもよい。通信ネットワーク１３０としては、１つ以上のローカルエリアネットワーク（「ＬＡＮ」）、広域ネットワーク（「ＷＡＮ」。例えば、インターネット）、仮想プライベートネットワーク（「ＶＰＮ」）、ピア・ツー・ピアネットワーク、近距離通信ネットワーク（例えば、Ｂｌｕｅｔｏｏｔｈ（登録商標））、無線通信ネットワーク（例えば、３Ｇ、４Ｇ、それ以降の世代）、及び／又は複数の演算ノードが通信できるその他の相互接続データ経路が挙げられる。
【００１５】
典型的な実施形態によれば、プリンター３２０は、多機能周辺装置（multi-function peripheral、ＭＦＰ）、レーザープリンター（laser beam printer、ＬＢＰ）、ＬＥＤプリンター、複写機能を有する多機能レーザープリンターであってもよい。典型的な実施形態によれば、プリンター３２０は、外部から入力された印刷データを画像データに変換し、変換したデータの画像を印刷可能な媒体に生成及び印刷する印刷部、文書を光学的に読み取る走査部（例えば、画像認識システム）、並びに公衆回線を介して外部装置との間で画像データを送受信するファックス部を含むことができる多機能周辺装置又は一体型（all-in-one、ＡＩＯ）装置として構成してもよい。典型的な実施形態によれば、本明細書に開示する携帯装置２００による認証時にプリンター３２０へのアクセス権を使用者に提供することができる。
【００１６】
典型的な実施形態によれば、例えば、様々なインターネット層、トランスポート層、又はアプリケーション層のプロトコルを含む様々な通信プロトコルを用いてオフィス１１０、自宅１２０、及び携帯装置２００の間で暗号化形式又は非暗号化形式でデータを送信してもよい。例えば、伝送制御プロトコル／インターネットプロトコル（ＴＣＰ／ＩＰ）、ユーザーデータグラムプロトコル（ＵＤＰ）、通信制御プロトコル（ＴＣＰ）、ハイパーテキスト転送プロトコル（ＨＴＴＰ）、安全ハイパーテキスト転送プロトコル（ＨＴＴＰＳ）、ＨＴＴＰによる動的適応ストリーミング（ＤＡＳＨ）、リアルタイムストリーミングプロトコル（ＲＴＳＰ）、リアルタイム トランスポートプロトコル（ＲＴＰ）、リアルタイムトランスポート制御プロトコル（ＲＴＣＰ）、ファイル転送プロトコル（ＦＴＰ）、ウェブソケット（ＷＳ）、無線アクセスプロトコル（ＷＡＰ）、各種メッセージ交換プロトコル（ＳＭＳ、ＭＭＳ、ＸＭＳ、ＩＭＡＰ、ＳＭＴＰ、ＰＯＰ、ＷｅｂＤＡＶ等）、又は他の既知のプロトコルを用いてネットワーク１３０経由でデータを送信してもよい。
【００１７】
図２は、典型的な実施形態による複数のセンサーを有する携帯装置２００を示す。典型的な実施形態によれば、携帯装置２００は、携帯電話、スマートフォン、又は例えば移動型オペレーティングシステムを搭載したパーソナルコンピューターを含む類似の種類の装置であってもよい。図２に示すように、携帯装置２００は、中央処理装置（ＣＰＵ）２０２、認証プログラム２１２を格納することができるメモリー２１０、複数のセンサー２２０、表示部２４０、携帯電話サービスインターフェース（Ｉ／Ｆ）２５０、及びＷｉＦｉ・Ｉ／Ｆ２６０を含んでもよい。バス２７０は、携帯装置２００内のＣＰＵ２０２、メモリー２１０、複数のセンサー２２０、表示部２４０、携帯電話サービスＩ／Ｆ２５０、及びＷｉＦｉ・Ｉ／Ｆ２６０を相互に接続する。
【００１８】
典型的な実施形態によれば、処理部すなわちＣＰＵ２０２が携帯装置２００の機能のうちの少なくとも一部を操作及び／又は制御するコンピュータープログラムの命令を実行する。携帯装置２００は、オペレーティングシステム（ＯＳ）も含み、これによりコンピューターハードウェアを管理し、各種ソフトウェアプログラムを効率的に実行する共通のサービスを提供することができる。例えば、認証プログラム（認証アプリケーション）２１２は、例えば自宅又はオフィスにアクセスし、装置若しくはサービス、例えば画像生成装置、又は企業のインターネット若しくはイントラネットにアクセスし、又は事業の決済、例えば銀行口座等から送金するためにＷｉＦｉアクセスポイントにアクセスする使用者を認証するアプリケーションソフトウェアを含んでもよい。
【００１９】
典型的な実施形態によれば、認証プログラム２１２は、複数のセンサーを有する携帯装置を用いて本明細書に開示する処理を実行して使用者を認証するようになっているアプリケーションプログラム又はソフトウェアモジュールの形態で携帯装置２００に格納されている。典型的な実施形態によれば、認証プログラム２１２は登録要素を含んでもよい。この登録要素は、使用者に個人データ又は個人情報を入力するように要求することができる。個人データ又は個人情報は、使用者を識別するものであり、例えば使用者が勤務するオフィスの住所を含む雇用地や居住地住所など使用者に関連する位置情報である。さらに、登録処理中に使用者に認証プログラム２１２によりアクセスを希望するサービスに関する情報を入力するように要求してもよい。例えば、図９に示す複数の状態９００に関する情報を使用者の携帯装置の認証プログラム２１２に入力してもよい。使用者に本明細書に開示する一連の動作を行うように要求し、認証のために認証プログラム２１２に使用者固有の特徴又は動作を教えて訓練してもよい。典型的な実施形態によれば、登録のために使用者に例えば図５に示す複数の動作５００を使用者の携帯装置２００で行うように要求してもよい。例えば、表示部２４０に登録処理中の一連の動作を示し、１つ以上の動作を決定してもよい。
【００２０】
典型的な実施形態によれば、認証プログラム２１２は、本明細書に開示する登録処理と認証手順を行うようになっている。本明細書に記載するように、使用者が登録されると、認証プログラム２１２は認証のために使用者を識別するデータと携帯装置２００及び使用者の位置、状態、又は動作を比較して使用者を認証する。例えば典型的な実施形態によれば、認証プログラム２１２は、要求されるサービス又は認証の性質又は種類に応じて携帯装置２００の使用者を認証してもよい。各種サービス要求又は認証要求は、携帯装置２００と使用者の実在性に対応する認証レベル（又は信用レベル）を有する。例えば、ＷｉＦｉへのアクセスはより高い認証レベル（すなわち、より高い信用レベル）を要求されることがあるアクセス権者や企業又は個人の財務記録よりも低い認証要件レベル（すなわちより低い信用レベル）であってもよい。さらに、認証プログラム２１２は、例えば同じか類似のサービス又は要求に対する以前の認証要求に基づいて認証要件レベル（又は信用レベル）を下げ、あるいは上げる機械学習プログラムやアルゴリズムを含んでもよい。
【００２１】
典型的な実施形態によれば、認証プログラム２１２は、アクセスする初期要件として、例えば、自宅、建物、又はオフィスへのアクセスを取得し、かつ／あるいはソフトウェアアプリケーション、データベース、若しくはデータベース管理システム、及び／又は機械、例えば医療機器、Ｘ線機器、スキャナーなどの装置、システム、若しくはアプリケーションのアクセスを許可する使用者及び／又はサービス毎に少なくとも１つの位置や動作を設定してもよい。
【００２２】
典型的な実施形態によれば、サービスにアクセスする使用者と携帯装置２００の位置に応じて複数の動作又は状態を要求してもよい。例えば典型的な実施形態によれば、以下の１つ以上の場合に応じて使用者の認証に異なる動作や状態を要求してもよい。使用者が歩行又は静止している場合には、認証履歴、例えば特定のサービスにアクセスしようとして失敗した回数や周囲の照明状況を要求する。例えば、携帯装置が明るい場所又は暗い場所にある場合には認証の対象、例えば使用者が要求しているサービスの種類を要求する。
【００２３】
典型的な実施形態によれば、例えば使用者が一日のある時刻にサービスへのアクセスを希望する場合には認証のために単一の動作を要求してもよい。しかし、同じ使用者が一日のうちの異なる時刻に又は未知の位置からサービスへのアクセスを希望する場合には第２の動作を実行するよう要求してもよい。第２の動作では要求されたサービスへのアクセスの際に使用者を認証するために携帯装置２００内に複数のセンサーを必要とする場合がある。
【００２４】
典型的な実施形態によれば、携帯装置２００に設けた複数のセンサー２２０は、使用可能なセンサーの単なる例示であり、使用者の認証に用いることができるセンサーの種類や数を限定することを意図するものではない。例えば、複数のセンサー２２０は、ＧＰＳ受信機２２１、ジャイロスコープ２２２、速度計２２３、回転ベクトルセンサー２２４、加速度計２２５、光センサー２２６、近接センサー２２７、方位センサー２２８、重力センサー２２９、タッチパネル２３０、マイク２３１、磁気センサー２３２、及びカメラ２３３を含んでもよい。当然のことであるが、少なくとも１つのセンサー２２０、好ましくは２つ以上のセンサー２２０を有する任意の携帯装置２００に本明細書に開示するシステム及び方法を実装することができる。例えば、使用者が古い携帯装置２００を持っており、携帯装置２００が図２に示した複数のセンサー２２０のいずれかを含んでいない場合、使用者の携帯装置２００で利用可能なセンサー２２０のみを用いるように認証プログラム２１２を設定することができる。
【００２５】
典型的な実施形態によれば、ＧＰＳ受信機２２１は、ＧＰＳ衛星１４０からデータを受信して携帯装置２００の地理的位置を計算することができる。例えば、典型的な実施形態によれば、ＧＰＳ受信機２２１は、携帯装置の緯度と経度の位置を計算することができる。
【００２６】
典型的な実施形態によれば、ジャイロスコープ２２２は、携帯装置２００の方位と角速度を測定することができる。例えば典型的な実施形態によれば、ジャイロスコープ２２２は、ｘ、ｙ、及びｚ方向の携帯装置の現在の回転半径を検出することができる。典型的な実施形態によれば、例えばｘ、ｙ、及びｚ方向（つまり軸）は、横又は幅方向（すなわち、ｘ軸）、水平面に対して直交、すなわち上下の方向である垂直又は縦方向（すなわち、ｙ軸）、及び奥行き（すなわち、ｚ軸）に対応してもよい。
【００２７】
典型的な実施形態によれば、速度計２２３は、携帯装置２００の瞬間速度を測定及び計算することができるセンサーである。典型的な実施形態によれば、例えば速度計２２３は、ｘ、ｙ、及びｚの方向の携帯装置の速度を検出することができる。
【００２８】
典型的な実施形態によれば、回転ベクトルセンサー２２４は、ｘ、ｙ、及びｚの方向の携帯装置２００の回転を検出することができる装置である。
【００２９】
典型的な実施形態によれば、加速度計２２５は、物体が瞬間的な静止座標系にあるときの正確な加速度（すなわち速度の変化率）を測定する装置である。典型的な実施形態によれば、加速度計２２５を用いて、例えば歩行又は走行等、人間が活動する間の携帯装置２００の振動を検出及び監視することができる。
【００３０】
典型的な実施形態によれば、光センサー２２６は、例えば、周辺の光の水準を検出するために光又は他の電磁エネルギーを検出する光検出器であってもよい。例えば、光検出器は、光量子を電流に変換するｐｎ接合部を持っていてもよい。ｐｎ接合部は、反射防止膜を持つ照明窓で覆われていてもよい。吸収された光量子は、空乏領域に電子−正孔対を複数形成する。
【００３１】
典型的な実施形態によれば、近接センサー２２７は、例えば、携帯装置２００から使用者の手又は頭部までの距離を検出することができる装置である。
【００３２】
典型的な実施形態によれば、方位センサー２２８は、例えば縦揺れ、横揺れ、及び方位角を検出するようになっている装置である。典型的な実施形態によれば、例えば方位センサー２２８は、コンパスのような装置又はアプリケーションであってもよい。
【００３３】
典型的な実施形態によれば、重力センサー２２９は、携帯装置２００に対する地球重力の加速度効果を測定する。典型的な実施形態によれば、携帯装置２００のｙ方向の（例えば、下向きの）力を検出することができる。
【００３４】
典型的な実施形態によれば、タッチパネル（又はタッチスクリーン）２３０は、携帯装置２００の外面に設けられた入出力装置であるのが好ましい。使用者はタッチペン又は使用者の一本以上の指でスクリーンに触れる操作で情報処理システムに入力し、又は情報処理システムを制御することができる。
【００３５】
典型的な実施形態によれば、マイク２３１は、音を電気信号に変換するようになっているのが好ましい。
【００３６】
典型的な実施形態によれば、磁気センサー２３２は、携帯装置２００内に設けられ、ｘ、ｙ、及びｚ方向の磁界強度を検出することができる装置又はアプリケーションである。
【００３７】
典型的な実施形態によれば、カメラ２３３は、携帯装置２００に設けられ、画像を記録又は撮影する光学機器である。画像は装置内に格納され、別の場所に送信することができる。
【００３８】
典型的な実施形態によれば、表示部２４０は、携帯装置２００の外面に設けられたタッチパネル又はタッチスクリーンであるのが好ましい。表示部２４０は、視覚的形式又は触覚的形式で情報を表示するようになっており、例えば、視覚障害者用の触覚的電子表示装置である。
【００３９】
典型的な実施形態によれば、携帯電話サービスＩ／Ｆ（又は携帯電話Ｉ／Ｆ）２５０は、携帯装置２００と携帯電話基地局１５０、１５２、及び１５４のうちの１つ以上との間で無線データ又はメッセージを送受信するようになっている。典型的な実施形態によれば、携帯装置２００は、携帯電話基地局認識部２５２も含む。携帯電話基地局認識部２５２は、携帯装置２００が通信することができる１つ以上の携帯電話基地局１５０、１５２、及び１５４を認識するようになっている。
【００４０】
典型的な実施形態によれば、携帯装置２００は、ＷｉＦｉ・Ｉ／Ｆ（ＷｉＦｉインターフェース）２６０を含む。ＷｉＦｉ・Ｉ／Ｆ２６０は携帯装置２００とオフィス１１０及び自宅１２０のＷｉＦｉルーター１１２及び１２２の間でそれぞれデータの送受信をするようになっている。典型的な実施形態では、例えば携帯装置２００はＩＤ認識部２６２を含んでもよい。ＩＤ認識部２６２は、携帯装置２００、ＷｉＦｉルーター１１２、１２２、及びインターネット１３０の間でデータをやり取りする。ＩＤ認識部２６２は、例えば基本サービスセット識別子（ＢＳＳＩＤ）、サービスセット識別子（ＳＤＩＤ）、Ｂｌｕｅｔｏｏｔｈ装置アドレス（ＢＤ＿ＡＤＤＲ）、及び／又は近距離無線通信タグ（ＮＦＣタグ）であってもよい。
【００４１】
典型的な実施形態によれば、メッセージ、例えば携帯装置の表示部２４０に表示されるテキストメッセージ、表示部２４０で実行する動作の視覚的描写、及び／又は携帯装置２００のマイク（又はスピーカー）２３１からの出力信号により、例えば図７、図１０、図１１、図１２、図１５、及び図１６に示す１種類以上の第１の動作、第２の動作、及び第３の動作のそれぞれを携帯装置２００の使用者に提供することができる。あるいは、例えば登録処理中に携帯装置２００の使用者に１種類以上の第１の動作、第２の動作、及び第３の動作をどのように実行するかについて指示してもよい。第１の動作、第２の動作、及び第３の動作を本明細書に開示する認証処理中に要求してもよい。
【００４２】
図３は、典型的な実施形態によるサーバー３００を示す。典型的な実施形態によれば、サーバー（又は認証サーバー）３００は、処理部又は中央処理装置（ＣＰＵ）３０２、ソフトウェアプログラム及びデータ、例えばサービスプログラム３１２を格納する１つ以上のメモリー３１０、入力部３２０、表示部（又はグラフィックユーザーインターフェース）３３０、及び通信ネットワーク（又はネットワーク）１３０に接続されるネットワークインターフェース（ネットワークＩ／Ｆ）３４０を含んでもよい。バス３５０は、ＣＰＵ３０２、１つ以上のメモリー３１０、サービスプログラム３１２、入力部３２０、表示部３３０、及びネットワークＩ／Ｆ３４０を相互に接続する。
【００４３】
典型的な実施形態によれば、処理部すなわちＣＰＵ３０２は、少なくとも１つのサーバー３００の機能の少なくとも一部を操作及び／又は制御するコンピュータープログラムの命令を実行する。サーバー３００は、オペレーティングシステム（ＯＳ）も含み、これによりコンピューターハードウェアを管理し、各種ソフトウェアプログラムを効率的に実行する共通のサービスを提供することができる。
【００４４】
典型的な実施形態によれば、サービスプログラム（又はサービス）３１２は、例えばオフィス１１０（又は自宅１２０）へのアクセス権、印刷サービス、例えばオフィス１１０内のプリンター３２０へのアクセス権、装置若しくはサービス、例えばサーバー３００に格納されたアプリケーション、画像生成装置若しくはプリンター、又は会社のインターネット若しくはイントラネットにアクセスし、取引の決済、例えば銀行口座等から送金するためにアクセスするＷｉＦｉアクセスポイントへのアクセス権を有してもよい。
【００４５】
図４は、典型的な実施形態による携帯装置２００の位置及び動作を認識するために用いることができる対応するセンサー２２０を含む複数のセンサー２２０を有する携帯装置２００を示す。図４に示すように、携帯装置２００は認証プログラム２１２を含んでもよい。認証プログラム２１２は、携帯装置２００に格納されたアプリケーションであるのが好ましい。認証プログラム２１２は、携帯装置２００の複数のセンサー２２０を用いて携帯装置２００の使用者を認証することができる。典型的な実施形態によれば、認証プログラム２１２は、複数のセンサー２２０から複数の入力信号を受信するようになっていてもよい。入力信号は、携帯装置２００の位置（位置認識部２１４から受信する）、携帯装置２００の位置（図８の状態認識部２１５から受信する）、又は携帯装置２００の動作（動作認識部２１６から受信する）に関するものでもよい。
【００４６】
典型的な実施形態によれば、例えば携帯装置２００に設けられた複数のセンサー２２０を用いて携帯装置２００の位置を識別又は判断することができる。これらのセンサーとしては、例えばＧＰＳ受信機２２１、ＩＤ認識部２６２、携帯電話基地局認識部２５２、及び重力センサー２２９が挙げられる。さらに、携帯装置２００の複数のセンサー２２０を用いて携帯装置２００及び／又は使用者の動作を識別又は判断することができる。これらのセンサーとしては、ジャイロスコープ２２２、速度計２２３、回転ベクトルセンサー２２４、加速度計２２５、光センサー２２６、近接センサー２２７、方位センサー２２８、タッチパネル２３０、マイク２３１、及びカメラ２３３が挙げられる。
【００４７】
図５は、携帯装置２００に対する複数の動作５００及びこれに対応するセンサー２２０を示す表であり、複数の動作５００のうちの１つ以上を識別するために用いることができる。例えば図５に示すように、動作５００としては、携帯電話（又は携帯装置）２００を使用者の耳に当てること（動作Ａ）、指で画面を軽く叩くこと（動作Ｂ）、歩行すること（動作Ｃ）、座るか立つこと（動作Ｄ）、携帯電話（又は携帯装置）２００のフリップを開くこと（動作Ｅ）、光センサーを覆うこと（動作Ｆ）、及び携帯電話又は携帯装置２００のタッチパネル又はタッチスクリーンの所定の位置に触れること（動作Ｇ）が挙げられる。
【００４８】
図６Ａは、典型的な実施形態による携帯装置２００のタッチパネル又はタッチスクリーン２３０の所定の位置に触れる動作６１０を示す。図６Ａに示すように、例えば携帯電話又は携帯装置２００のタッチパネル又はタッチスクリーン２３０に触れる動作には、タッチパネル２３０に加えてセンサー２２０のうちの１つ以上、すなわちジャイロスコープ２２２、速度計２２３、及び近接センサー２２７による動作検出を含んでもよい。例えば、認証プログラム２１２は、タッチパネル２３０に接触する使用者の指の特定の様式又は形状に基づき、及び／又はタッチパネル２３０をジャイロスコープ２２２、速度計２２３、及び近接センサー２２７と組み合わせて使用者を認識するようになっていてもよい。
【００４９】
図６Ｂは、典型的な実施形態による携帯装置２００の光センサー２２６を覆う動作６２０を示す。例えば、光センサー２２６の上に使用者の一本以上の指を置くことで光センサー２２６を覆うことができる（図６Ａ及び図６Ｂ）。
【００５０】
図７は、典型的な実施形態による複数のセンサー２２０を有する携帯装置２００を用いて使用者を認証する方法及びシステムを示す流れ図７００である。図７に示すように、工程Ｓ７０２で認証プログラム２１２は、複数のセンサー２２０のうちの少なくとも１つを用いて携帯装置２００の位置を判断又は認識する。工程Ｓ７０４で認証プログラム２１２は、携帯装置２００の位置が所定の（又は既知の）位置であるか判断する。工程Ｓ７０４で、当該位置が所定の（又は既知の）位置である場合（すなわち「Ｙｅｓ」）、処理は第１の動作を選択する工程Ｓ７０６に進む。工程Ｓ７０８で、単一のセンサー又はセンサーの第１の組み合わせに基づいて第１の動作を選択することができる。工程Ｓ７１０で、携帯装置２００の使用者を工程Ｓ７０８で決定した単一のセンサー又はセンサーの第１の組み合わせを用いて認証することができる。
【００５１】
典型的な実施形態によれば、工程Ｓ７０４で、携帯装置２００の位置が所定の（又は既知の）位置でない場合（すなわち「Ｎｏ」）、処理は第２の動作を選択する工程Ｓ７１２に進む。工程Ｓ７１４で、センサーの第２の組み合わせに基づいて第２の動作を選択することができる。工程Ｓ７１６で、携帯装置２００の使用者を工程Ｓ７１６で決定したセンサーの第２の組み合わせにより認証することができる。
【００５２】
典型的な実施形態によれば、例えば携帯装置２００が所定の（又は既知の）位置にない場合（すなわち「Ｎｏ」）、認証プログラム２１４は、さらなるセンサー２２０に携帯装置２００と使用者を認証するように要求することができる。これとは反対に、所定の（又は既知の）位置にある場合（すなわち「Ｙｅｓ」）、携帯装置２００と使用者の認証に用いるセンサーの数を未知の（又は所定でない）位置の場合に用いるセンサー２２０の数より少なくしてもよい。さらに、携帯装置２００（又は装着可能装置１４００）の位置並びに／又は動作の種類及びこれに対応して用いるセンサー２２０の数も要求されるサービスの種類に応じて変更してもよい。例えば、使用者のオフィス又は自宅へのアクセスには銀行口座にアクセスして資金を別の口座に移動する場合とは異なるレベルの認証を要求してもよい。
【００５３】
典型的な実施形態によれば、使用者又は携帯装置２００がこれまでに述べた実施形態のいずれかで要求される動作のうちの１つ以上を実行できない場合、例えば、要求される認証並びにそれに対応するアクセス及び／又はサービスについて使用者の認証を拒否してもよい。例えば、工程Ｓ７１０又はＳ７１６で、単一のセンサー、センサーの第１の組み合わせ、又はセンサーの第２の組み合わせを用いて要求された動作を実行できない場合、携帯装置２００による使用者の認証を行わず、要求されたサービス等へのアクセスを拒否する。
【００５４】
図８は、別の典型的な実施形態による携帯装置２００の状態（例えば、携帯装置の位置）及び／又は動作を認識するのに用いることができる対応するセンサー２２０を含む複数のセンサー２２０を有する携帯装置２００を示す。図８に示すように、携帯装置２００は認証プログラム２１２を含んでもよい。認証プログラム２１２は、携帯装置２００に格納されたアプリケーションであるのが好ましい。認証プログラム２１２は、携帯装置２００の複数のセンサー２２０を用いて携帯装置２００の使用者を認証することができる。典型的な実施形態によれば、認証プログラム２１２は、複数のセンサー２２０から複数の入力信号を受信するようになっていてもよい。入力信号は携帯装置２００の状態（状態認識部２１５から受信する）又は携帯装置２００の動作（動作認識部２１６から受信する）に関するものでもよい。
【００５５】
典型的な実施形態によれば、例えば携帯装置２００に設けられた複数のセンサー２２０を用いて携帯装置２００の状態を識別又は判断することができる。典型的な実施形態によれば、携帯装置２００の状態は携帯装置２００の位置であってもよい。典型的な実施形態によれば、状態認識部２１４は、例えばＧＰＳ受信機２２１、ＩＤ認識部２６２、携帯電話基地局認識部２５２、重力センサー２２９、速度計２２３、光センサー２２６、ジャイロスコープ２２２、及び／又は回転ベクトルセンサー２２４を用いて状態を判断してもよい。
【００５６】
典型的な実施形態によれば、携帯装置２００の複数のセンサー２２０を用い、動作認識部２１６を用いて携帯装置２００を識別又は判断することができる。図８に示すように、動作認識部２１６は、センサー２２０のうちのジャイロスコープ２２２、速度計２２３、回転ベクトルセンサー２２４、加速度計２２５、光センサー２２６、近接センサー２２７、方位センサー２２８、タッチパネル２３０、及び／又はマイク２３１から入力信号を受信することができる。
【００５７】
図９は、典型的な実施形態による使用者の認証に携帯装置２００を用いることができる複数の状態９００を示す表である。図９に示すように、複数の状態９００は、例えば、状態Ａ「所定位置（オフィス、自宅、階）にいる」、状態Ｂ「移動中（歩行中、運転中、又は電車内）又は静止中である」、状態Ｃ「認証失敗履歴（失敗回数）」、状態Ｄ「明るい場所又は暗い場所にいる」、あるいは状態Ｅ「認証の対象」を含んでもよい。
【００５８】
典型的な実施形態によれば、例えば使用者が一回以上認証に失敗した後、センサー２２０の数及び／又は動作の種類を増やし、又は変更してもよい。
【００５９】
図１０は、別の典型的な実施形態による複数のセンサーを有する携帯装置２００を用いて使用者を認証する方法及びシステムを示す流れ図１０００である。図１０に示すように、工程Ｓ１００２で、認証プログラム２１２は、複数のセンサー２２０のうちの少なくとも１つを用いて携帯装置２００の状態９００を判断又は認識する。工程Ｓ１００４で、認証プログラム２１２は、携帯装置２００の状態が所定の（又は既知の）状態であるかを判断する。工程Ｓ１００４で、当該状態が所定の（又は既知の）状態であると判断されると（すなわち「Ｙｅｓ」）、処理は第１の動作を選択する工程Ｓ１００６に進む。工程Ｓ１００８で、第１の動作を単一のセンサー又はセンサーの第１の組み合わせに基づいて選択する。工程Ｓ１０１０で、携帯装置２００の使用者を工程Ｓ１００８で決定した単一のセンサー又はセンサーの第１の組み合わせを用いて認証することができる。
【００６０】
典型的な実施形態によれば、工程Ｓ１００４で、携帯装置２００の状態が所定の（又は既知の）状態でない場合（すなわち「Ｎｏ」）、処理は第２の動作を選択する工程Ｓ１０１２に進む。工程Ｓ１０１４で、第２の動作をセンサーの第２の組み合わせに基づいて選択する。工程Ｓ１０１６で、携帯装置２００の使用者を工程Ｓ１０１６で決定したセンサーの第２の組み合わせを用いて認証することができる。
【００６１】
典型的な実施形態によれば、使用者又は携帯装置２００がこれまでに述べた典型的な実施形態のいずれかで要求される動作のうちの１つ以上を実行できない場合、例えば、要求される認証並びにそれに対応するアクセス及び／又はサービスについて使用者の認証を拒否してもよい。例えば、工程Ｓ１０１０又はＳ１０１６で単一のセンサー、センサーの第１の組み合わせ、又はセンサーの第２の組み合わせを用いて要求された動作を実行することができない場合、携帯装置２００による使用者の認証を行わず、要求されたサービス等へのアクセスを拒否する。
【００６２】
図１１は、さらなる典型的な実施形態による複数のセンサー２２０を有する携帯装置２００を用いて使用者を認証する方法及びシステムを示す流れ図１１００である。図１１に示すように、工程Ｓ１１０１で、認証プログラム２１２は、携帯装置２００により実行される動作９００を選択する。工程Ｓ１１０２で、認証プログラム２１２は、複数のセンサー２２０のうちの少なくとも１つを用いて携帯装置２００の位置を判断又は認識する。工程Ｓ１１０４で、認証プログラム２１２は、携帯装置２００の位置が所定の（又は既知の）位置であるかを判断する。工程Ｓ１１０４で、当該位置が所定の（又は既知の）位置であると判断された場合（すなわち「Ｙｅｓ」）、処理は工程Ｓ１１０８に進み、単一のセンサー又はセンサーの第１の組み合わせを選択することができる。工程Ｓ１１１０で、携帯装置２００の使用者を工程Ｓ１１０８で決定した単一のセンサー又はセンサーの第１の組み合わせを用いて認証することができる。
【００６３】
典型的な実施形態によれば、工程Ｓ１１０４で、携帯装置２００の位置が所定の（又は既知の）位置でない場合（すなわち「Ｎｏ」）、処理はセンサーの第２の組み合わせに基づいて第２の動作を選択する工程Ｓ１１１４に進む。工程Ｓ１１１６で、携帯装置２００の使用者を工程Ｓ１１１４で決定したセンサーの第２の組み合わせにより認証することができる。
【００６４】
典型的な実施形態によれば、使用者又は携帯装置２００がこれまでに述べた実施形態のいずれかで要求される動作のうちの１つ以上を実行することができない場合、例えば、要求される認証並びにそれに対応するアクセス及び／又はサービスについて使用者の認証を拒否してもよい。例えば、工程Ｓ１１１０又はＳ１１１６で、単一のセンサー、センサーの第１の組み合わせ、あるいはセンサーの第２の組み合わせを用いて要求される動作及び／又は状態を実行することができない場合、携帯装置２００による使用者の認証を行わず、要求されたサービス等へのアクセスを拒否する。
【００６５】
図１２は、別の典型的な実施形態による複数のセンサー２２０を有する携帯装置２００を用いて使用者を認証する方法及びシステムを示す流れ図１２００である。図１２に示すように、工程Ｓ１２０１で、認証プログラム２１２は、携帯装置２００により実行される動作９００を選択する。工程Ｓ１２０２で、認証プログラム２１２は、複数のセンサー２２０のうちの少なくとも１つを用いて携帯装置２００の状態を判断又は認識する。工程Ｓ１２０４で、認証プログラム２１２は、携帯装置２００の状態が所定の（又は既知の）状態であるかを判断する。工程Ｓ１２０４で、当該状態が所定の（又は既知の）状態である場合（すなわち「Ｙｅｓ」）、処理は工程Ｓ１２０８に進み、単一のセンサー又はセンサーの第１の組み合わせを選択することができる。工程Ｓ１２１０で、携帯装置２００の使用者を工程Ｓ１２０８で決定した単一のセンサー又はセンサーの第１の組み合わせを用いて認証することができる。
【００６６】
典型的な実施形態によれば、工程Ｓ１２０４で、携帯装置２００の状態が所定の（又は既知の）状態でない場合（すなわち「Ｎｏ」）、処理はセンサーの第２の組み合わせに基づいて第２の動作を選択する工程Ｓ１２１４に進む。工程Ｓ１２１６で、携帯装置２００の使用者を工程Ｓ１２１４で決定したセンサーの第２の組み合わせにより認証することができる。
【００６７】
典型的な実施形態によれば、使用者又は携帯装置２００がこれまでに述べた実施形態のいずれかで要求される動作のうちの１つ以上を実行することができない場合、例えば、要求された認証並びにそれに対応するアクセス及び／又はサービスについて使用者の認証を拒否してもよい。例えば、工程Ｓ１２１０又はＳ１２１６で、単一のセンサー、センサーの第１の組み合わせ、あるいはセンサーの第２の組み合わせを用いて要求された動作及び／又は状態を実行することができない場合、携帯装置２００による使用者の認証を行わず、要求されたサービス等へのアクセスを拒否してもよい。
【００６８】
図１３は、典型的な実施形態による複数のセンサー２２０を有する携帯装置２００と複数のセンサー２２０を有する装着可能装置１４００を用いて使用者を認証する方法及びシステムを実装することができるシステム１００を示す。図１３に示すように、システム１００は、例えば、ＷｉＦｉ（無線ローカルエリアネットワーク接続）ルーター１１２、サーバー３００、及びプリンター３２０を含むオフィス１１０、ＷｉＦｉルーター１２２を含む自宅１２０、並びに装着可能装置１４００を含んでもよい。典型的な実施形態によれば、装着可能装置１４００は、装着可能装置１４００の使用者（又は装着者）の活動を追跡するようになっている１つ以上のアプリケーションを含んでもよい。典型的な実施形態によれば、装着可能装置１４００は、認証プログラム２１２を含む携帯装置２００とデータ通信を行う。
【００６９】
典型的な実施形態によれば、装着可能装置１４００は、人の介在を必要とせずに、例えば製造者、操作員、及び／又は接続された他の装置とデータをやり取りする電子機器、ソフトウェア、及びセンサーを含んでもよい。例えば、インターネット１３０経由で製造者、操作員、及び／又は接続された他の装置とデータをやり取りしてもよい。
【００７０】
典型的な実施形態によれば、装着可能装置１４００の例としては、フィットネスやスポーツの追跡装置及び生体測定装置（人間の特徴に関する測定）が挙げられる。これらの装置は、例えば心拍数又は電気的活動、例えば心電図（ＥＣＧ又はＥＫＧ）を測定又は検出することができる。さらに、装着可能装置１４００としては、例えば聴力障害及び発話・発声障害の治療のための装置、例えばストレス管理のための健康問題監視装置、警戒・エネルギーレベル用装置、運行指示器具、媒体装置、及び通信装置が挙げられる。さらに、装着可能装置１４００を使用者が装着し、身に付け、又は移植してもよく、例えば使用者の手首に装着してもよい。
【００７１】
典型的な実施形態によれば、装着可能装置１４００は、装着者の心拍数、心臓の電気的活動、歩様、及び他の個人的特徴を特定の時刻に（又は瞬時に）及び／又はある期間にわたって検出してもよい。条件又は測定基準が変更された場合、認証プログラム２１２は、本明細書に開示するように使用者を再認証してもよい。典型的な実施形態によれば、例えば装着可能装置１４００から受信する使用者２００の条件又は測定基準が変更されたが、認証プログラム２１２が使用者の認証を確認することができない場合、本明細書に開示するように使用者に再認証を行うように要求してもよい。
【００７２】
図１４は、典型的な実施形態による複数のセンサー２２０を有する装着可能装置１４００を示す。図１４に示すように、装着可能装置１４００は、本明細書に開示するように動作を検出することができる複数のセンサー２２０を含んでもよい。例えば図１４に示すように、装着可能装置１４００は、動作認識のために加速度計２２５、ジャイロスコープ２２２、及び速度計２２３を含んでもよい。さらに本明細書に開示するように、装着可能装置１４００は、図２に示す携帯装置２００の複数のセンサー２２０のいずれかを含んでもよい。
【００７３】
図１５は、別の典型的な実施形態による複数のセンサー２２０を有する携帯装置２００と複数のセンサー２００を有する装着可能装置１４００を用いて使用者を認証する方法及びシステムを示す流れ図１５００である。図１５に示すように、工程Ｓ１５０２で、認証プログラム２１２は、複数のセンサー２２０のうちの少なくとも１つを用いて携帯装置２００の位置を判断又は認識する。工程Ｓ１５０４で、認証プログラム２１２は、携帯装置２００の位置が所定の（又は既知の）位置であるかを判断する。工程Ｓ１５０４で、当該位置が所定の（又は既知の）位置である場合（すなわち「Ｙｅｓ」）、処理は工程Ｓ１５０６に進み、携帯装置２００の第１の動作を選択する。工程Ｓ１５０８で、単一のセンサー又はセンサーの第１の組み合わせを選択することができる。工程Ｓ１５１０で、携帯装置２００の使用者を工程Ｓ１５０８で決定した単一のセンサー又はセンサーの第１の組み合わせを用いて認証することができる。
【００７４】
典型的な実施形態によれば、工程Ｓ１５０４で、携帯装置２００の位置が所定の（又は既知の）位置でなかった場合（すなわち「Ｎｏ」）、処理は装着可能装置１４００との接続がすでに確立されたか、又は接続を確立できるかを判断する工程Ｓ１５１１に進む。工程Ｓ１５１１で、装着可能装置１４００との接続がすでに確立されているか、又は接続を確立できる場合、工程Ｓ１５１２で、装着可能装置１４００の第３の動作を選択する。工程Ｓ１５１３で、装着可能装置１４００の単一のセンサー又はセンサーの第３の組み合わせに基づいて工程Ｓ１５１２の第３の動作を選択する。工程Ｓ１５１３で、携帯装置２００（及び装着可能装置１４００）の位置に基づいて第２の動作を選択する。工程Ｓ１５１６で、携帯装置２００のセンサーの第２の組み合わせを選択する。工程Ｓ１５１８で、装着可能装置１４００内の単一のセンサー又はセンサーの第３の組み合わせと携帯装置２００内のセンサーの第２の組み合わせを用いて携帯装置２００の使用者を認証することができる。
【００７５】
典型的な実施形態によれば、使用者又は携帯装置２００が典型的な実施形態のいずれかで要求された動作のうちの１つ以上を行うことができない場合、例えば、要求された認証並びにそれに対応するアクセス及び／又はサービスについて使用者の認証を拒否することができる。例えば、工程Ｓ１５１０又はＳ１５１８で、携帯装置２００又は装着可能装置１４００の単一のセンサー、携帯装置２００のセンサーの第１の組み合わせ、携帯装置２００のセンサーの第２の組み合わせ、又は装着可能装置１４００のセンサーの第３の組み合わせを用いて要求された動作及び／又は位置を実行又は判断する、すなわち認証することができない場合、携帯装置２００による使用者の認証は行われず、例えば要求されたサービス等へのアクセスを拒否することができる。
【００７６】
図１６は、さらなる典型的な実施形態による複数のセンサー２２０を有する携帯装置２００と複数のセンサー２００を有する装着可能装置１４００を用いて使用者を認証する方法及びシステムを示す流れ図１６００である。図１６に示すように、工程Ｓ１６０２で、認証プログラム２１２は、複数のセンサー２２０のうちの少なくとも１つを用いて携帯装置２００の状態を判断又は認識する。工程Ｓ１６０４で、認証プログラム２１２は、携帯装置２００の状態が所定の（又は既知の）状態であるかを判断する。工程Ｓ１６０４で、状態が所定の（又は既知の）状態である場合（すなわち「Ｙｅｓ」）、処理は工程Ｓ１６０６に進み、携帯装置２００の第１の動作を選択する。工程Ｓ１６０８で、単一のセンサー又はセンサーの第１の組み合わせを選択することができる。工程Ｓ１６１０で、携帯装置２００の使用者を工程Ｓ１６０８で決定した単一のセンサー又はセンサーの第１の組み合わせを用いて認証することができる。
【００７７】
典型的な実施形態によれば、工程Ｓ１６０４で、携帯装置２００の位置が所定の（又は既知の）位置でない場合（すなわち「Ｎｏ」）、処理は工程Ｓ１６１１に進み、装着可能装置１４００との接続がすでに確立されたか、又は接続を確立できるかを判断する。装着可能装置１４００との接続が確立されている場合（又は工程Ｓ１６１１で接続を確立できる場合）、工程Ｓ１６１２で、装着可能装置１４００の第３の動作を選択する。工程Ｓ１６１３で、装着可能装置１４００内の単一のセンサー又はセンサーの第３の組み合わせを選択することができる。工程Ｓ１６１３で、携帯装置２００（及び装着可能装置１４００）の状態に基づいて第２の動作を選択する。工程Ｓ１６１６で、携帯装置２００のセンサーの第２の組み合わせを選択する。工程Ｓ１６１８で、装着可能装置１４００の単一のセンサー又は第３の組み合わせと携帯装置２００のセンサーの第２の組み合わせを用いて携帯装置２００の使用者を認証することができる。
【００７８】
典型的な実施形態によれば、使用者又は携帯装置２００が典型的な実施形態のいずれかで要求された動作のうちの１つ以上を実行できない場合、例えば、要求された認証並びにそれに対応するアクセス及び／又はサービスについて使用者の認証を拒否することができる。例えば、工程Ｓ１６１０又はＳ１６１８で、携帯装置２００又は装着可能装置１４００の単一のセンサー、携帯装置２００のセンサーの第１の組み合わせ、携帯装置２００のセンサーの第２の組み合わせ、又は装着可能装置１４００のセンサーの第３の組み合わせを用いて要求された動作及び／又は位置を実行又は判断する、すなわち認証することができない場合、携帯装置２００による使用者の認証は行われず、例えば要求されたサービス等へのアクセスを拒否することができる。
【００７９】
典型的な実施形態によれば、本明細書に開示する複数のセンサーを有する携帯装置で使用者を認証する処理を実行するようにした非一時的コンピューター可読プログラムコード及びコンピューター可読媒体を用いてもよい。勿論、非一時的コンピューター可読媒体は、磁気記録媒体、磁気光学記録媒体、又は将来開発される任意の他の記録媒体であってもよく、これらの媒体すべては本発明で同じように使用可能である。一次的複製品及び二次的複製品等を含むそのような媒体の複製物は、間違いなく上記の媒体の均等物とみなされる。さらに、本発明の実施形態がソフトウェアとハードウェアの組み合わせであったとしても、本発明の原理を逸脱するものではない。ソフトウェア部分を記録媒体に予め書き込み、動作中に適宜読み出すように本発明を実装してもよい。
【００８０】
本発明の範囲又は趣旨を逸脱することなく本発明の構造に様々な変形及び改変を行うことができることが当業者には明らかである。したがって、本発明の変形形態及び改変形態が以下の特許請求の範囲及びその均等物の範囲内に含まれる場合には、本発明は当該変形形態及び改変形態を包含することを意図する。
【図１】
2019091413.tif 000003
【図２】
2019091413.tif 000004
【図３】
2019091413.tif 000005
【図４】
2019091413.tif 000006
【図５】
2019091413.tif 000007
【図６Ａ】
2019091413.tif 000008
【図６Ｂ】
2019091413.tif 000009
【図７】
2019091413.tif 000010
【図８】
2019091413.tif 000011
【図９】
2019091413.tif 000012
【図１０】
2019091413.tif 000013
【図１１】
2019091413.tif 000014
【図１２】
2019091413.tif 000015
【図１３】
2019091413.tif 000016
【図１４】
2019091413.tif 000017
【図１５】
2019091413.tif 000018
【図１６】
2019091413.tif 000019
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
複数のセンサーを有する携帯装置を持つ使用者を認証する方法であって、
前記携帯装置又は前記使用者の状態を認識する工程、
前記携帯装置又は前記使用者の前記状態が所定の状態であるかを判断する工程、
前記状態が前記所定の状態である場合に、
認証動作として第１の動作を選択する工程、
前記複数のセンサーから単一のセンサー又はセンサーの第１の組み合わせを選択する工程、及び
前記単一のセンサー又はセンサーの前記第１の組み合わせを用いて前記使用者に対する第１の認証を実行する工程、並びに
前記状態が前記所定の状態でない場合に、
前記認証動作として第２の動作を選択する工程、
前記複数のセンサーからセンサーの第２の組み合わせを選択する工程、及び
センサーの前記第２の組み合わせを用いて前記使用者に対する第２の認証を実行する工程を含む、方法。
【請求項２】
前記状態は、
位置、
前記携帯装置の移動状態又は静止状態、
前記携帯装置の前記使用者の認証失敗履歴、
前記携帯装置の位置に関連して前記携帯装置が得た明るさ又は暗さの測定値、及び
認証の対象、
のうちの１つ、又は、
前記位置、前記携帯装置の前記移動状態又は前記静止状態、前記携帯装置の前記使用者の前記認証失敗履歴、前記携帯装置の位置に関連して前記携帯装置が得た前記明るさ又は暗さの測定値、認証の前記対象のうちの少なくとも２つの組み合わせ
である、請求項１に記載の方法。
【請求項３】
前記第１の動作又は前記第２の動作は、
前記携帯装置を把持すること、
前記携帯装置を指で軽く叩くこと、
歩行し、座り、及び立つこと、
前記携帯装置のフリップを開くこと、
前記携帯装置の光センサーを覆うこと、
前記携帯装置のタッチパネルの所定の位置に触れること、
のうちの１つ、又は、
前記携帯装置を把持すること、前記携帯装置を指で軽く叩くこと、歩行し、座り、立つこと、前記携帯装置のフリップを開くこと、及び前記携帯装置の光センサーを覆うことのうちの少なくとも２つの組み合わせ
である、請求項１又は２に記載の方法。
【請求項４】
前記第２の認証のセンサー又は動作の数は、前記第１の認証のセンサー又は動作の数よりも多い、請求項１から３のいずれか一項に記載の方法。
【請求項５】
前記複数のセンサーは、ＧＰＳ受信機、ジャイロスコープ、速度計、回転ベクトルセンサー、加速度計、光センサー、近接センサー、方位センサー、重力センサー、タッチパネル、マイク、磁気センサー、及びカメラを含む、請求項１から４のいずれか一項に記載の方法。
【請求項６】
少なくとも１回の認証失敗の後にセンサー又は動作の数を増やす工程をさらに含む、請求項１から５のいずれか一項に記載の方法。
【請求項７】
前記第１の認証及び前記第２の認証は、前記使用者に少なくとも１つのサービスに対するアクセスを提供し、前記少なくとも１つのサービスは、オフィス若しくは住宅へのアクセス、装置へのアクセス、前記携帯装置に格納されたアプリケーションへのアクセス、インターネット若しくはイントラネットへのアクセス、及び／又は銀行口座、財務記録、若しくは診療記録へのアクセスである、請求項１から６のいずれか一項に記載の方法。
【請求項８】
前記携帯装置に認証プログラムを格納する工程をさらに含み、前記認証プログラムは、１種類以上のサービスにアクセスする前記使用者を認証する処理を実行するようになっている、請求項１から７のいずれか一項に記載の方法。
【請求項９】
前記１種類以上のサービスにアクセスする前記使用者を認証する前記処理を実行する前に、前記携帯装置に格納した前記認証プログラムに前記使用者を登録する工程をさらに含む、請求項８に記載の方法。
【請求項１０】
コンピューターに、請求項１から９のいずれか一項に記載の方法における工程を行うための処理を実行させるプログラム。
【請求項１１】
複数のセンサーを有する携帯装置を持つ使用者を認証する方法であって、
認証動作として第１の動作を選択する工程、
前記携帯装置又は前記使用者の状態を認識する工程、
前記携帯装置又は前記使用者の前記状態が所定の状態であるかを判断する工程、
前記状態が前記所定の状態である場合に、
前記複数のセンサーから単一のセンサー又はセンサーの第１の組み合わせを選択して前記第１の動作を実行する工程、及び
前記単一のセンサー又はセンサーの前記第１の組み合わせを用いて前記使用者に対する第１の認証を実行する工程、並びに
前記状態が前記所定の状態でない場合に、
前記複数のセンサーからセンサーの第２の組み合わせを選択して前記第１の動作を実行する工程、及び
センサーの前記第２の組み合わせを用いて前記使用者に対する第２の認証を実行する工程を含む、方法。
【請求項１２】
少なくとも１回の認証失敗の後にセンサー又は動作の数を増やす工程をさらに含む、請求項１１に記載の方法。
【請求項１３】
前記第１の認証及び前記第２の認証は、前記使用者に少なくとも１つのサービスに対するアクセスを提供し、前記少なくとも１つのサービスは、オフィス若しくは住宅へのアクセス、装置へのアクセス、前記携帯装置に格納されたアプリケーションへのアクセス、インターネット若しくはイントラネットへのアクセス、及び／又は銀行口座、財務記録、若しくは診療記録へのアクセスである、請求項１１又は１２に記載の方法。
【請求項１４】
前記携帯装置に認証プログラムを格納する工程をさらに含み、前記認証プログラムは、１種類以上のサービスにアクセスする前記使用者を認証する処理を実行するようになっている、請求項１１から１３のいずれか一項に記載の方法。
【請求項１５】
前記１種類以上のサービスにアクセスする前記使用者を認証する前記処理を実行する前に、前記携帯装置に格納した前記認証プログラムに前記使用者を登録する工程をさらに含む、請求項１４に記載の方法。
【請求項１６】
コンピューターに、請求項１１から１５のいずれか一項に記載の方法における工程を行うための処理を実行させるプログラム。
【請求項１７】
複数のセンサーを有する携帯装置を持つ使用者を認証する方法であって、
前記携帯装置又は前記使用者の状態を認識する工程、
前記状態が所定の状態であるかを判断する工程、
前記携帯装置又は前記使用者の前記状態が前記所定の状態である場合に、
認証動作として第１の動作を選択する工程、
前記複数のセンサーから単一のセンサー又はセンサーの第１の組み合わせを選択する工程、及び
前記単一のセンサー又はセンサーの前記第１の組み合わせを用いて前記使用者に対する第１の認証を実行する工程、並びに
前記携帯装置又は前記使用者の前記状態が前記所定の状態でない場合に、
前記携帯装置に対応する認証動作として第２の動作を選択する工程、
前記複数のセンサーからセンサーの第２の組み合わせを選択する工程、
認証に用いるべき装着可能装置を選択する工程、
前記装着可能装置に対応する認証動作として第３の動作を選択する工程、
前記装着可能装置内の単一のセンサー又はセンサーの第３の組み合わせを選択する工程、及び
センサーの前記第２の組み合わせと前記装着可能装置内の前記単一のセンサー又はセンサーの前記第３の組み合わせを用いて前記使用者に対する第２の認証を実行する工程を含む、方法。
【請求項１８】
前記携帯装置に認証プログラムを格納する工程をさらに含み、前記認証プログラムは、１種類以上のサービスにアクセスする前記使用者を認証する処理を実行するようになっている、請求項１７に記載の方法。
【請求項１９】
前記１種類以上のサービスにアクセスする前記使用者を認証する前記処理を実行する前に、前記携帯装置に格納した前記認証プログラムに前記使用者を登録する工程をさらに含む、請求項１８に記載の方法。
【請求項２０】
コンピューターに、請求項１７から１９のいずれか一項に記載の方法における工程を行うための処理を実行させるプログラム。
【手続補正２】
【補正対象書類名】明細書
【補正対象項目名】０００１
【補正方法】変更
【補正の内容】
【０００１】
本開示は複数のセンサーを有する携帯装置を用いて使用者を認証する方法及びシステムに関し、より詳細には複数のセンサーを有する携帯電話を用いて、例えば自宅若しくはオフィスにアクセスし、装置又はサービス、例えば携帯装置に格納されたアプリケーション、画像生成装置若しくはプリンター、又は会社のインターネット若しくはイントラネットにアクセスし、取引決済、例えば銀行口座等からの送金のためにＷｉＦｉ（登録商標）アクセスポイントにアクセスする使用者を認証する方法及びシステムに関する。
【手続補正３】
【補正対象書類名】明細書
【補正対象項目名】０００７
【補正方法】変更
【補正の内容】
【０００７】
複数のセンサーを有する携帯装置を持つ使用者を認証する方法であって、携帯装置又は使用者の状態を認識する工程、状態が所定の状態であるかを判断する工程、携帯装置又は使用者の状態が所定の状態である場合に、認証動作として第１の動作を選択する工程、複数のセンサーから単一のセンサー又はセンサーの第１の組み合わせを選択する工程、及び単一のセンサー又はセンサーの第１の組み合わせを用いて使用者に対する第１の認証を実行する工程、並びに携帯装置又は使用者の状態が所定の状態でない場合に、携帯装置に対応する認証動作として第２の動作を選択する工程、複数のセンサーからセンサーの第２の組み合わせを選択する工程、認証に用いるべき装着可能装置を選択する工程、装着可能装置に対応する認証動作として第３の動作を選択する工程、装着可能装置内の単一のセンサー又はセンサーの第３の組み合わせを選択する工程、及びセンサーの第２の組み合わせと装着可能装置内の単一のセンサー又はセンサーの第３の組み合わせを用いて使用者に対する第２の認証を実行する工程を含む、方法が開示される。
【手続補正４】
【補正対象書類名】明細書
【補正対象項目名】００４０
【補正方法】変更
【補正の内容】
【００４０】
典型的な実施形態によれば、携帯装置２００は、ＷｉＦｉ・Ｉ／Ｆ（ＷｉＦｉインターフェース）２６０を含む。ＷｉＦｉ・Ｉ／Ｆ２６０は携帯装置２００とオフィス１１０及び自宅１２０のＷｉＦｉルーター１１２及び１２２の間でそれぞれデータの送受信をするようになっている。典型的な実施形態では、例えば携帯装置２００はＩＤ認識部２６２を含んでもよい。ＩＤ認識部２６２は、携帯装置２００、ＷｉＦｉルーター１１２、１２２、及びインターネット１３０の間でデータをやり取りする。ＩＤ認識部２６２は、例えば基本サービスセット識別子（ＢＳＳＩＤ）、サービスセット識別子（ＳＳＩＤ）、Ｂｌｕｅｔｏｏｔｈ装置アドレス（ＢＤ＿ＡＤＤＲ）、及び／又は近距離無線通信タグ（ＮＦＣタグ）であってもよい。
【手続補正５】
【補正対象書類名】明細書
【補正対象項目名】００５２
【補正方法】変更
【補正の内容】
【００５２】
典型的な実施形態によれば、例えば携帯装置２００が所定の（又は既知の）位置にない場合（すなわち「Ｎｏ」）、認証プログラム２１２は、さらなるセンサー２２０に携帯装置２００と使用者を認証するように要求することができる。これとは反対に、所定の（又は既知の）位置にある場合（すなわち「Ｙｅｓ」）、携帯装置２００と使用者の認証に用いるセンサーの数を未知の（又は所定でない）位置の場合に用いるセンサー２２０の数より少なくしてもよい。さらに、携帯装置２００（又は装着可能装置１４００）の位置並びに／又は動作の種類及びこれに対応して用いるセンサー２２０の数も要求されるサービスの種類に応じて変更してもよい。例えば、使用者のオフィス又は自宅へのアクセスには銀行口座にアクセスして資金を別の口座に移動する場合とは異なるレベルの認証を要求してもよい。
【手続補正６】
【補正対象書類名】明細書
【補正対象項目名】００５５
【補正方法】変更
【補正の内容】
【００５５】
典型的な実施形態によれば、例えば携帯装置２００に設けられた複数のセンサー２２０を用いて携帯装置２００の状態を識別又は判断することができる。典型的な実施形態によれば、携帯装置２００の状態は携帯装置２００の位置であってもよい。典型的な実施形態によれば、状態認識部２１５は、例えばＧＰＳ受信機２２１、ＩＤ認識部２６２、携帯電話基地局認識部２５２、重力センサー２２９、速度計２２３、光センサー２２６、ジャイロスコープ２２２、及び／又は回転ベクトルセンサー２２４を用いて状態を判断してもよい。
【手続補正７】
【補正対象書類名】明細書
【補正対象項目名】００６０
【補正方法】変更
【補正の内容】
【００６０】
典型的な実施形態によれば、工程Ｓ１００４で、携帯装置２００の状態が所定の（又は既知の）状態でない場合（すなわち「Ｎｏ」）、処理は第２の動作を選択する工程Ｓ１０１２に進む。工程Ｓ１０１４で、第２の動作をセンサーの第２の組み合わせに基づいて選択する。工程Ｓ１０１６で、携帯装置２００の使用者を工程Ｓ１０１４で決定したセンサーの第２の組み合わせを用いて認証することができる。
【手続補正８】
【補正対象書類名】明細書
【補正対象項目名】００７３
【補正方法】変更
【補正の内容】
【００７３】
図１５は、別の典型的な実施形態による複数のセンサー２２０を有する携帯装置２００と複数のセンサー２２０を有する装着可能装置１４００を用いて使用者を認証する方法及びシステムを示す流れ図１５００である。図１５に示すように、工程Ｓ１５０２で、認証プログラム２１２は、複数のセンサー２２０のうちの少なくとも１つを用いて携帯装置２００の位置を判断又は認識する。工程Ｓ１５０４で、認証プログラム２１２は、携帯装置２００の位置が所定の（又は既知の）位置であるかを判断する。工程Ｓ１５０４で、当該位置が所定の（又は既知の）位置である場合（すなわち「Ｙｅｓ」）、処理は工程Ｓ１５０６に進み、携帯装置２００の第１の動作を選択する。工程Ｓ１５０８で、単一のセンサー又はセンサーの第１の組み合わせを選択することができる。工程Ｓ１５１０で、携帯装置２００の使用者を工程Ｓ１５０８で決定した単一のセンサー又はセンサーの第１の組み合わせを用いて認証することができる。
【手続補正９】
【補正対象書類名】明細書
【補正対象項目名】００７４
【補正方法】変更
【補正の内容】
【００７４】
典型的な実施形態によれば、工程Ｓ１５０４で、携帯装置２００の位置が所定の（又は既知の）位置でなかった場合（すなわち「Ｎｏ」）、処理は装着可能装置１４００との接続がすでに確立されたか、又は接続を確立できるかを判断する工程Ｓ１５１１に進む。工程Ｓ１５１１で、装着可能装置１４００との接続がすでに確立されているか、又は接続を確立できる場合、工程Ｓ１５１２で、装着可能装置１４００の第３の動作を選択する。工程Ｓ１５１３で、装着可能装置１４００の単一のセンサー又はセンサーの第３の組み合わせに基づいて工程Ｓ１５１２の第３の動作を選択する。工程Ｓ１５１４で、携帯装置２００（及び装着可能装置１４００）の位置に基づいて第２の動作を選択する。工程Ｓ１５１６で、携帯装置２００のセンサーの第２の組み合わせを選択する。工程Ｓ１５１８で、装着可能装置１４００内の単一のセンサー又はセンサーの第３の組み合わせと携帯装置２００内のセンサーの第２の組み合わせを用いて携帯装置２００の使用者を認証することができる。
【手続補正１０】
【補正対象書類名】明細書
【補正対象項目名】００７６
【補正方法】変更
【補正の内容】
【００７６】
図１６は、さらなる典型的な実施形態による複数のセンサー２２０を有する携帯装置２００と複数のセンサー２２０を有する装着可能装置１４００を用いて使用者を認証する方法及びシステムを示す流れ図１６００である。図１６に示すように、工程Ｓ１６０２で、認証プログラム２１２は、複数のセンサー２２０のうちの少なくとも１つを用いて携帯装置２００の状態を判断又は認識する。工程Ｓ１６０４で、認証プログラム２１２は、携帯装置２００の状態が所定の（又は既知の）状態であるかを判断する。工程Ｓ１６０４で、状態が所定の（又は既知の）状態である場合（すなわち「Ｙｅｓ」）、処理は工程Ｓ１６０６に進み、携帯装置２００の第１の動作を選択する。工程Ｓ１６０８で、単一のセンサー又はセンサーの第１の組み合わせを選択することができる。工程Ｓ１６１０で、携帯装置２００の使用者を工程Ｓ１６０８で決定した単一のセンサー又はセンサーの第１の組み合わせを用いて認証することができる。
【手続補正１１】
【補正対象書類名】明細書
【補正対象項目名】００７７
【補正方法】変更
【補正の内容】
【００７７】
典型的な実施形態によれば、工程Ｓ１６０４で、携帯装置２００の位置が所定の（又は既知の）位置でない場合（すなわち「Ｎｏ」）、処理は工程Ｓ１６１１に進み、装着可能装置１４００との接続がすでに確立されたか、又は接続を確立できるかを判断する。装着可能装置１４００との接続が確立されている場合（又は工程Ｓ１６１１で接続を確立できる場合）、工程Ｓ１６１２で、装着可能装置１４００の第３の動作を選択する。工程Ｓ１６１３で、装着可能装置１４００内の単一のセンサー又はセンサーの第３の組み合わせを選択することができる。工程Ｓ１６１４で、携帯装置２００（及び装着可能装置１４００）の状態に基づいて第２の動作を選択する。工程Ｓ１６１６で、携帯装置２００のセンサーの第２の組み合わせを選択する。工程Ｓ１６１８で、装着可能装置１４００の単一のセンサー又は第３の組み合わせと携帯装置２００のセンサーの第２の組み合わせを用いて携帯装置２００の使用者を認証することができる。
【外国語明細書】
2019091413000001.pdf
2019091413000002.pdf
2019091413000003.pdf
2019091413000004.pdf